(57)【要約】　【課題】　着呼があると自動応答し、少なくとも画像を含む双方向通信を可能にする。【解決手段】　メモリに、自動応答通話を許可した相手方を特定するための暗証番号と、自動応答モードに設定されているか否かを示すモード情報とを記憶しておく。着呼があると、ＣＰＵは、先ず自動応答モードに設定されているかを判定し（Ｓ２）、その判定結果が「Ｙes」の場合には、受信した発呼データ中の暗証番号とメモリに記憶されている暗証番号との照合を行う（Ｓ４）。その結果、暗証番号が一致していれば、自動応答して画像及び音声による双方向通話を可能にする（Ｓ５）。他方、自動応答モードに設定されていない場合や、暗証番号が未入力または一致しない場合には、通常応答を行う（Ｓ３）。【選択図】　　図６
2004112820.tif 000002
【特許請求の範囲】
【請求項１】
　画像表示を行う画像表示手段と、
　相手方端末との間で画像データ及び音声データの送受信を行うデータ送受信手段と、
　所定の相手方を特定するための情報を記憶する情報記憶手段と、
　着呼時の受信データと前記情報記憶手段の記憶情報とを比較して、前記所定の相手方からの着呼であるかを判定する判定手段と、
　前記判定手段で所定の相手方からの着呼であると判定された場合に、その相手方による双方向通信のための自己端末の遠隔操作を受付可能とする制御手段とを備えることを特徴とする携帯テレビ電話端末。
【請求項２】
　前記所定の相手方を特定するための情報は、発信者番号，暗証番号のうちいずれか一方または両方であることを特徴とする請求項１記載の携帯テレビ電話端末。
【発明の詳細な説明】
【技術分野】
【０００１】
　本発明は、カメラとモニターを有し、無線公衆回線網を用いて画像および音声の送受信を行える携帯テレビ電話端末に関する。
【背景技術】
【０００２】
　従来より、画像の入出力部となるカメラとモニター、そして音声の入出力部となるマイクとスピーカーとを有し、公衆回線網を介して通信相手に前記カメラによって入力した画像と前記マイクによって入力した音声を各々符号化して送信する一方で、通信相手から送信された画像および音声を受信・復号して、モニターに画像を表示し、スピーカーから音声を出力することにより、通信相手側からの画像を見ながら会話することのできる携帯テレビ電話端末が知られている。
【０００３】
　他方、電話機の自動応答機能としては、従来より次のものが知られている。
　（１）携帯電話端末において、着呼を検出すると自動的にオフフックして相手方が送信したメッセージを受信する機能（いわゆる、Ｐメール）。
　（２）静粛なレストランで食事を取っている場合，コンサート会場にいる場合，重要な会議に出席している場合等、電話機の使用者が不在の場合や電話に出ることができない場合に、使用者に代わって発信者に自動応答して用件を録音する機能（いわゆる、留守録）。
【０００４】
　（３）自動車電話においてよく見られ、着信信号を検出すると自動的に着信して双方の通話を可能にする機能。これは、電話機をさわらずしてオフフックでき、運転しながらの会話を可能にするものである。
　（４）ファックスの基本的な機能であり、着信信号を検出すると回線を接続してデータを受信する機能。
【発明の開示】
【発明が解決しようとする課題】
【０００５】
　しかしながら、これらの機能はいずれも自動応答後に画像および音声による円滑な双方向通話を実現するものではない。しかも、従来の自動応答機能は、不特定多数の発信者からの着呼に全て応答することを前提としており、特定発信者からの着呼にのみ自動応答したいという要求を満たすことができない。
【０００６】
　さらに、携帯テレビ電話端末に、発信者側端末から受信側端末を遠隔操作することのできる機能が設けられていれば、受信者が複雑な操作に不慣れであっても、画像を含む円滑な双方向通話の実現はもとより、発信者による複雑な操作の代行も可能となる。また、かかる機能を備えていれば、携帯テレビ電話端末の監視用途への適用も可能となる。
【０００７】
　本発明は、このような事情に鑑みてなされたもので、その目的とするところは、携帯テレビ電話端末の操作に不慣れな相手方とでも円滑な双方向通信を可能にすること、特定発信者からの着呼にのみ自動応答して双方向通信可能にすること、発信者側端末から受信者側端末を遠隔操作可能にすることにある。
【課題を解決するための手段】
【０００８】
　上記目的を達成するため、本発明の携帯テレビ電話端末は、画像表示を行う画像表示手段と、相手方端末との間で画像データ及び音声データの送受信を行うデータ送受信手段と、相手方端末からの着呼に自動応答し、前記データ送受信手段による少なくとも画像データの送受信を可能にする制御手段とを備えることを特徴とするものである。
【０００９】
　この構成では、相手方端末からの着呼に自動応答し、少なくとも画像を送受信することによる双方向通信を可能にするから、受信者がこの種の携帯テレビ電話端末の操作に不慣れであっても、画像を含む双方向通信を円滑に行えるようになる。
【００１０】
　本発明の携帯テレビ電話端末は、所定の相手方を特定するための情報を記憶する情報記憶手段と、着呼時の受信データと前記情報記憶手段の記憶情報とを比較して、前記所定の相手方からの着呼であるかを判定する判定手段とを備え、前記制御手段は、前記判定手段で所定の相手方からの着呼であると判定された場合に限り、前記データ送受信手段による送受信を可能にすることを特徴とするものである。
【００１１】
　この構成では、自動応答による双方向通信を特定の発信者からの着呼に対してのみ選択的に行えるようになる。よって、受信者側のセキュリティ確保が可能となる。なお、所定の相手方を特定するための情報としては、例えば、発信者番号，暗証番号のうちいずれか一方または両方が採用される。
【００１２】
　また、本発明の携帯テレビ電話端末は、画像表示を行う画像表示手段と、相手方端末との間で画像データ及び音声データの送受信を行うデータ送受信手段と、所定の相手方を特定するための情報を記憶する情報記憶手段と、着呼時の受信データと前記情報記憶手段の記憶情報とを比較して、前記所定の相手方からの着呼であるかを判定する判定手段と、前記判定手段で所定の相手方からの着呼であると判定された場合に、その相手方による自己端末の遠隔操作を受付可能とする制御手段とを備えることを特徴とするものである。
【００１３】
　この構成では、受信者がこの種の携帯テレビ電話端末の操作に不慣れであっても、画像を含む円滑な双方向通信の実現はもとより、発信者が受信者に代わって複雑な端末操作を代行することが可能となる。また、携帯テレビ電話端末の監視テレビ的な用途への応用も可能となる。なお、所定の相手方を特定するための情報としては、例えば、発信者番号，暗証番号のうちいずれか一方または両方が採用される。
【発明の効果】
【００１４】
　本発明によれば、以下の効果を得ることができる。
（ａ）相手方端末からの着呼に自動応答し、少なくとも画像を送受信することによる双方向通信を可能にするから、操作に不慣れで複雑な端末操作を苦手とする子供やお年寄り等が受信者であっても、画像を含む双方向通信を円滑に行える他、操作性および利便性の向上も図ることができる。
【００１５】
（ｂ）自動応答通信を特定の発信者からの着呼に対してのみ選択的に行えるようにしているから、全く面識がなかったり、それ程親しい間柄でもない発信者からの着呼に対しても、受信者側のセキュリティが保たれ、プライベートな面が勝手に覗かれるといったおそれもなくすことができる。
【００１６】
（ｃ）発信方端末から画像データや音声データと共に送信されてくる遠隔操作用の制御コマンドの実行を可能にするから、受信者が操作に不慣れであっても、円滑な双方向通信はもとより、発信者が受信者に代わって複雑な操作を代行し得て、携帯テレビ電話端末の機能をフル活用した双方向通信が行えるようになる。
　また、携帯テレビ電話端末を監視テレビ的に用いることも可能となる。
【発明を実施するための最良の形態】
【００１７】
　以下、図面を用いて、本発明を実施するための最良の形態について説明する。図１は、本発明の一実施の形態による携帯テレビ電話端末の正面図であり、図２及び図３は、図１に示す携帯テレビ電話端末の側面図である。図１〜図３に示すように、携帯テレビ電話端末２０は、その端末本体２０ａの正面に、液晶板からなるディスプレイ（画像表示手段）２１を備えている。このディスプレイ２１には、電話番号，電界ピクトなど携帯電話装置における通信機能情報及び画像情報の両方あるいはいずれか一方が表示されるようになっている。
【００１８】
　端末本体２０ａには、その上部における正面側に、カメラ２２が設けられており、このカメラ２２によって画像が撮影されるようになっている。また、ディスプレイ２１の下方側には、操作用の複数のキー２３が設けられており、これらキー２３を押下することにより、各種の操作を行うことができるようになっている。
【００１９】
　例えば、キー２３ａ，２３ｂはフックスイッチであり、キー２３ａを押下するとオフフックされ、キー２３ｂを押下するとオンフックされる。また、キー２３ｃは通話モードの切換スイッチであり、このキー２３ｃを押下することにより、通話モードを音声のみの音声モード，画像のみの画像モード，及び画像＆音声によるＶＰモードのいずれかに切り換えることができる。さらに、自動応答モードを設定するためのキー２３も設けられている。
【００２０】
　端末本体２０ａには、その上部におけるカメラ２２の側部にスピーカ２５が設けられ、下方には、マイク２６が設けられており、マイク２６によって音声入力が行われ、スピーカ２５から相手方の音声，着信音，アラーム等が発せられるようになっている。また、端末本体２０ａの上端には、伸縮可能なアンテナ２７が設けられており、図１〜図３には図示されぬ内蔵の無線部（データ送受信手段）が、アンテナ２７を介して画像データ及び音声データの通信を行うようになっている。
【００２１】
　端末本体２０ａの他側部には、コンセント等のＡＣ電源に、アダプタを介して接続される外部電源接続部２８及びイヤホーン等が接続される外部音声出力部２９が設けられている。また、端末本体２０ａには、その裏面側に、バッテリーが収納された収納部に着脱される電池蓋２４が設けられており、この電池蓋２４には、所定角度の範囲内にて回動可能に連結されたスタンド２４ａが設けられている。そして、このスタンド２４ａを角度を広げる方向に回動させることにより、端末本体２０が設置面に対して傾斜した状態に支持されるようになっている。
【００２２】
　そして、発呼時のキー操作は、通常、キー２３を押下して相手方の電話番号を入力した後、キー２３ａを押下してオフフック状態とすることによりなされ、また、着呼時のキー操作は、通常、着信音や着信振動に対応してキー２３ａを押下し、オフフック状態とすることによりなされるものであるが、本実施形態の携帯テレビ電話端末２０では、相手方の電話番号に続いて所定の暗証番号を入力すると、相手方の携帯テレビ電話端末２０が着呼に自動応答し、画像及び音声による双方向通話が可能となる。
【００２３】
　次に、図４を用いて、本実施形態に係る携帯テレビ電話端末２０の機能および動作について説明する。同図中、符号１は、端末全体を制御するＣＰＵ（制御手段）であり、２は種々のデータを記憶しておくためのメモリ（情報記憶手段）である。このメモリ２には、制御プログラムの他、自動応答通話を許可した相手方を特定するための情報（以下、暗証番号という。）や外部入力された画像データ等が記憶されている。
【００２４】
　まず初めに、回線接続後に行われる画像及び音声の送受信について説明する。この携帯テレビ電話端末２０の通話モードは、上述したように、キー２３ｃの押下動作に伴って駆動される切換スイッチ３，４，５の状態に応じて、音声のみの音声モード，画像のみの画像モード，及び画像＆音声によるＶＰモードの三段階に切換可能となっている。
【００２５】
　[ＶＰモード]
　通話モードがＶＰモードに設定されている場合、切換スイッチ３，４，５はいずれも、図４の実線で示す状態に操作される。カメラ２２で撮像された画像は、画像コーデック１１で符号化され、多重化／分離手段１２へ送られる。他方、マイク２６で入力された音声は、切換スイッチ４を介して画像通信用の音声コーデック１３へ送られ、そこで符号化されて多重化／分離手段１２へ送られる。
【００２６】
　多重化／分離手段１２では、画像コーデック１１からの画像データと画像通信用の音声コーデック１３からの音声データとが多重化される。そして、これら画像データと音声データとが多重化されてなる多重化データは、切換スイッチ３を介して時分割多重回路１４へ送られ、無線部１５を介してアンテナ２７から送信される。
【００２７】
　逆に、相手方の携帯テレビ電話端末２０が多重化データをアンテナ２７で受信すると、この多重化データは、無線部１５，時分割多重回路１４，及び切換スイッチ３を介して、多重化／分離手段１２へ送られ、そこで画像データと音声データとに分離される。
【００２８】
　分離された画像データは、画像コーデック１１で復号化され、ディスプレイ２１に画像が表示される。また、分離された音声データは、画像通信用の音声コーデック１３で復号化され、スピーカ２５から音声が発せられる。
【００２９】
　[音声モード]
　通話モードが音声モードに設定されている場合、切換スイッチ３，４，５はいずれも、図４の破線で示す状態に操作される。マイク２６で入力された音声は、切換スイッチ４を介して音声通信用の音声コーデック１６へ送られて符号化され、切換スイッチ３，時分割多重回路１４，無線部１５を介してアンテナ２７から送信される。
【００３０】
　逆に、相手方の携帯テレビ電話端末２０が音声データをアンテナ２７で受信すると、この音声データは、無線部２７，時分割多重回路１４，及び切換スイッチ３を介して、音声通信用の音声コーデック１６へ送られて復号化され、スピーカ２５から音声が発せられる。
【００３１】
　[画像モード]
　通話モードが画像モードに設定されている場合は、切換スイッチ４のみが、図４の破線で示す状態に操作される。カメラ２２で撮像された画像は、画像コーデック１１で符号化され、多重化／分離手段１２，切換スイッチ３，時分割多重回路１４，無線部１５を介してアンテナ２７から送信される。
【００３２】
　逆に、相手方の携帯テレビ電話端末２０が画像データをアンテナ２７で受信すると、この画像データは、無線部１５，時分割多重回路１４，及び切換スイッチ３，多重化／分離手段３を介して、画像コーデック１１へ送られて復号化され、ディスプレイ２１に画像が表示される。
【００３３】
　[発呼／着呼]
　発信方は、通常、キー２３を押下して相手方の電話番号を入力し、その後にキー２３ａを押下して発呼を行うが、この発呼に対して相手方の携帯テレビ電話端末２０を自動応答させ、画像および音声による双方向通話を実現するには、相手方の電話番号に続いて暗証番号をキー入力する必要がある。
【００３４】
　すると、発信方の携帯テレビ電話端末２０からは、相手方の電話番号等の他に、通話モードがＶＰモードであることを示すＶＰ識別データと、キー入力した暗証番号とを含む発呼データが送信される（図５参照）。この発呼データは、相手方の携帯テレビ電話端末２０において、アンテナ２７，無線部１５，及び時分割多重回路１４を介してＣＰＵ１へ入力される。
【００３５】
　次いで、ＣＰＵ１では、図６に示す処理が行われる。この図において、「自動応答モード」とは、自動応答通話を許可した特定の相手方からの着呼があると、キー２３ａを押下することなくオフフックし、ＶＰモードによる双方向通話が可能となる応答モードをいう。他方、「通常応答モード」とは、発信方からの着呼があっても、キー２３ａを押下しない限り双方向通話が可能とならない応答モードをいう。これらのモードは、キー２３の押下により切換可能であり、メモリ２には、「自動応答モード」に設定されているか否かを示すモード情報が記憶される。
【００３６】
　ＣＰＵ１は、着信を検知すると（ステップＳ１）、キー操作により自動応答モードに設定されているかどうかを判定する（ステップＳ２）。この判定は、メモリ２に記憶されたモード情報に基づいて行われる。ステップＳ２の判定結果が「Ｎo」の場合、すなわち、自動応答モードが設定されていない場合には、処理はステップＳ３へ進み、通常応答の処理を行う。
【００３７】
　これに対し、ステップＳ２の判定結果が「Ｙes」の場合、すなわち、自動応答モードが設定されている場合には、発信方の認証を行う（ステップＳ４）。この認証は、ＣＰＵ１内の図示せぬ判定部（判定手段）が受信した発呼データ中の暗証番号と、メモリ２に予め記憶されている暗証番号とが一致するかどうかにより行う。なお、メモリ２に複数の暗証番号が記憶されている場合には、その全ての暗証番号について判定を行う。
【００３８】
　ステップＳ４の判定結果が「Ｎo」の場合、すなわち、発信方が暗証番号を入力していない場合や、入力した暗証番号が異なる場合には、処理はステップＳ３へ進み、通常応答の処理が行われる。これに対し、ステップＳ４の判定結果が「Ｙes」の場合、すなわち、発信方の入力した暗証番号が正当である場合には、自動応答通話を許可した相手からの着呼であると判断して処理はステップＳ５へ進み、自動応答通話の処理を行う。
【００３９】
　ステップＳ５において、ＣＰＵ１は、キー２３ａの押下の有無に関わらず、オフフックして回線を接続し、ＶＰモードによる双方向通話を可能にする。このとき、受信側の通話モードが音声モードや画像モードに設定されている場合には、ＣＰＵ１からの制御信号によりスイッチ３，４，５が操作され、通話モードはＶＰモードに自動的に切り換えられる。
【００４０】
　以上説明したように、本実施形態の携帯テレビ電話端末２０は、相手方の携帯テレビ電話端末２０からの着呼に自動応答し、画像および音声による双方向通話を可能にするから、操作に不慣れで複雑な端末操作を苦手とする子供やお年寄り等が受信者であっても、画像および音声による双方向通話を円滑に行うことができる他、操作性および利便性の向上も図られる。
【００４１】
　また、自動応答通話を特定の発信者からの着呼に対してのみ選択的に行えるようにしているから、全く面識がなかったり、それ程親しい間柄でもない発信者からの着呼に対しては、受信者側のセキュリティが保たれ、プライベートな面が勝手に覗かれるといったおそれもなくすことができる。もちろん、端末電源を切っておけば、自動応答通話は行われない。
【００４２】
　次に、本発明の第二の実施の形態について説明する。本実施形態に係る携帯テレビ電話端末２０は、発信者側の携帯テレビ電話端末２０からの遠隔操作を受付可能とすることを特徴としており、基本的な機能および動作は第一の実施形態に係る携帯テレビ電話端末２０と同様である。よって、以下では、同一符号を援用しつつ相違点についてのみ説明する。
【００４３】
　メモリ２には、自己を搭載した携帯テレビ電話端末２０の遠隔操作を許可した相手方を特定するための暗証番号が記憶されている。そして、ＣＰＵ１の判定部（判定手段）は、この暗証番号と、受信した発呼データ中の暗証番号とが一致するかどうかを判定し、一致する場合には、発信方からの遠隔操作を受け付ける。
【００４４】
　具体的には、図７に示すように、発信方の携帯テレビ電話端末２０から送信されてくる送信データには、音声データや画像データの他に、遠隔操作用の制御コマンドが含まれる。そして、ＣＰＵ１は、各データの種類（音声，画像，コマンド等）をヘッダ部により識別し、後に続くデータが遠隔操作用の制御コマンドであることを示すヘッダ部を認識すると、その制御コマンドを実行する。
【００４５】
　以上説明したように、本実施形態の携帯テレビ電話端末２０は、キー操作やメモリに記憶された制御プログラムに基づいて制御コマンドが実行されるだけでなく、発信方の携帯テレビ電話端末２０から画像データや音声データと共に送信されてくる遠隔操作用の制御コマンドの実行も可能にしたから、受信者が端末操作に不慣れであっても、画像を含む円滑な双方向通話の実現はもとより、発信者が受信者に代わって複雑な操作を代行し得るようになり、携帯テレビ電話端末２０の機能をフル活用した双方向通話が行えるようになる。また、携帯テレビ電話端末２０を監視テレビ的に用いることも可能となる。
【００４６】
　なお、上記実施形態では、自動応答および遠隔操作の許可は専ら暗証番号に依存する記載となっているが、更にセキュリティを強化するため及び発信者を特定するために、発番号（発信者番号）を自動応答および遠隔操作の許可を判定するための要素として用いることも可能である。この発番号については、従来から一般に知られているものであるため、ここでの説明は省略する。
【図面の簡単な説明】
【００４７】
【図１】本発明の第一の実施の形態に係る携帯テレビ電話端末の正面図である。
【図２】携帯テレビ電話端末の右側面図である。
【図３】携帯テレビ電話端末の左側面図である。
【図４】携帯テレビ電話端末の機能ブロック図である。
【図５】携帯テレビ電話端末から送信される発呼データの一部を示す図である。
【図６】着呼時に携帯テレビ電話端末のＣＰＵで行われる処理の流れを示すフローチャートである。
【図７】本発明の第二の実施の形態に係る携帯テレビ電話端末から送信されるデータ列を示す図である。
【符号の説明】
【００４８】
　１　ＣＰＵ（制御手段）
　２　メモリ（情報記憶手段）
　１５　無線部（データ送受信手段）
　２１　ディスプレイ（画像表示手段）。
【図１】
2004112820.tif 000003
【図２】
2004112820.tif 000004
【図３】
2004112820.tif 000005
【図４】
2004112820.tif 000006
【図５】
2004112820.tif 000007
【図６】
2004112820.tif 000008
【図７】
2004112820.tif 000009